(57)【要約】【課題】  油圧シリンダと椅子の足を簡単に分離でき、油圧シリンダ交換の速度を増せ、且つ椅子の足を傷つけず、昇降椅子の修理コストを減らせる昇降椅子のベース結合装置の提供。【解決手段】  油圧シリンダ、スリーブ及び椅子の足を具え、該油圧シリンダの底端に接合柱が設けられ、且つ該接合柱はテーパ状とされ、該スリーブは外端が大きく内端が小さい接合孔を具え、且つ該接合孔は該油圧シリンダの接合柱に対応するように設けられ、該油圧シリンダの接合柱が、テーパ状外観サイズの有する僅かな差異と材料の弾性を利用して緊迫式に該スリーブの接合孔内に嵌合される。該椅子の足は収容空間を具え、且つ該収容空間のサイズが該スリーブよりやや大きく、スリーブが該収容空間内に設置されて空隙を形成し、並びに椅子の足とスリーブがネジ止めされる。【選択図】        図３
0003111044.tif 000002
【実用新案登録請求の範囲】
【請求項１】
昇降椅子のベース結合装置において、
油圧シリンダであって、該油圧シリンダの底端に接合柱が設けられ、且つ該接合柱がテーパ状とされた、上記油圧シリンダと、
スリーブであって、該スリーブは外端が大きく内端が小さい接合孔を具え、且つ該接合孔が該油圧シリンダの接合柱に対応するように設けられ、該油圧シリンダの該接合柱が該スリーブの接合孔内に緊迫状を以て嵌合される、上記スリーブと、
椅子の足とされ、該椅子の足が収容空間を具え、該収容空間が該スリーブより大きく、該スリーブが該収容空間内に設置されて空隙を有し、並びに該椅子の足と該スリーブがネジ止めにより一体に結合される、上記椅子の足と、
を具えたことを特徴とする、昇降椅子のベース結合装置。
【請求項２】
請求項１記載の昇降椅子のベース結合装置において、スリーブがネジ孔を具え、該ネジ孔がスリーブの収容空間に収容される底面に設けられ、且つ該収容空間の底部壁面に該スリーブのネジ孔に対向する穿孔が設けられ、該穿孔が椅子の足を貫通し、ネジ部品が該穿孔を通り該ネジ孔にねじ込まれ、該スリーブと該ネジ孔が該ネジ部品により一体に結合されたことを特徴とする、昇降椅子のベース結合装置。
【請求項３】
請求項１記載の昇降椅子のベース結合装置において、スリーブの円周外側に第１ネジ山構造が設けられ、椅子の足の収容空間が第１ネジ山構造に対応する第２ネジ山構造を具え、スリーブと椅子の足が第１ネジ山構造と第２ネジ山構造の螺合により一体に結合されたことを特徴とする、昇降椅子のベース結合装置。
【請求項４】
請求項１記載の昇降椅子のベース結合装置において、スリーブの外周に複数の第１Ｌ形凸塊が環状に配設され、該椅子の足の収容空間に該第１Ｌ形凸塊に対応する第２Ｌ形凸塊が設けられ、スリーブと椅子の足が第１Ｌ形凸塊と第２Ｌ形凸塊の係合により一体に結合されたことを特徴とする、昇降椅子のベース結合装置。
【考案の詳細な説明】
【技術分野】
【０００１】
本考案は昇降椅子のベース結合装置に係り、特に昇降椅子のベースの油圧シリンダと椅子の足の結合構造に関する。
【背景技術】
【０００２】
図１及び図２に示されるように、周知の昇降椅子は、シート１、油圧シリンダ２、椅子の足３を具え、該油圧シリンダ２は調整ハンドル２ｃ、伸縮ロッド２ａ、及び接合柱２ｂを具え、該伸縮ロッド２ａはクッションシート４を介して複数のネジ５でシート１の下にネジ止めされ、該接合柱２ｂはテーパ状とされ、該接合柱２ｂと椅子の足３はテーパ形外観サイズの具備する僅かな差異と材料の弾性により緊迫方式で嵌合され一体とされ、これにより使用者が該調整ハンドル２ｃを駆動して該伸縮ロッド２ａを油圧シリンダ２に対して伸長させることで、シート１を上昇させることができる。
【０００３】
この昇降椅子は異なる使用者の伸長に応じてシート１の高さを調整できるため、美容室や理容室でよく使用され、それは使用者の合わせた高さに調整して美容、理髪の進行に便利である。周知の昇降椅子はシート１の高さを調整して異なる使用者の必要に符合させることができるが、油圧シリンダ２が調整頻度が高く成りすぎると損壊しやすく、損壊した油圧シリンダ２を交換する時は、油圧シリンダ２を椅子の足３より叩いて外さねばならず（油圧シリンダ２と椅子の足３は緊迫式に嵌合されている）、このため椅子の足３が油圧シリンダ２交換時に損壊されやすく、このため周知の昇降椅子の修理コストが高くなり、修理時の要求に符合しなくなる。
【考案の開示】
【考案が解決しようとする課題】
【０００４】
本考案の主要な目的は、一種の昇降椅子の油圧シリンダと椅子の足の結合構造を提供し、昇降椅子の油圧シリンダの交換に便利として交換時に椅子の足を傷つけないようにすることにある。
【課題を解決するための手段】
【０００５】
請求項１の考案は、昇降椅子のベース結合装置において、
油圧シリンダであって、該油圧シリンダの底端に接合柱が設けられ、且つ該接合柱がテーパ状とされた、上記油圧シリンダと、
スリーブであって、該スリーブは外端が大きく内端が小さい接合孔を具え、且つ該接合孔が該油圧シリンダの接合柱に対応するように設けられ、該油圧シリンダの該接合柱が該スリーブの接合孔内に緊迫状を以て嵌合される、上記スリーブと、
椅子の足とされ、該椅子の足が収容空間を具え、該収容空間が該スリーブより大きく、該スリーブが該収容空間内に設置されて空隙を有し、並びに該椅子の足と該スリーブがネジ止めにより一体に結合される、上記椅子の足と、
を具えたことを特徴とする、昇降椅子のベース結合装置としている。
請求項２の考案は、請求項１記載の昇降椅子のベース結合装置において、スリーブがネジ孔を具え、該ネジ孔がスリーブの収容空間に収容される底面に設けられ、且つ該収容空間の底部壁面に該スリーブのネジ孔に対向する穿孔が設けられ、該穿孔が椅子の足を貫通し、ネジ部品が該穿孔を通り該ネジ孔にねじ込まれ、該スリーブと該ネジ孔が該ネジ部品により一体に結合されたことを特徴とする、昇降椅子のベース結合装置としている。
請求項３の考案は、請求項１記載の昇降椅子のベース結合装置において、スリーブの円周外側に第１ネジ山構造が設けられ、椅子の足の収容空間が第１ネジ山構造に対応する第２ネジ山構造を具え、スリーブと椅子の足が第１ネジ山構造と第２ネジ山構造の螺合により一体に結合されたことを特徴とする、昇降椅子のベース結合装置としている。
請求項４の考案は、請求項１記載の昇降椅子のベース結合装置において、スリーブの外周に複数の第１Ｌ形凸塊が環状に配設され、該椅子の足の収容空間に該第１Ｌ形凸塊に対応する第２Ｌ形凸塊が設けられ、スリーブと椅子の足が第１Ｌ形凸塊と第２Ｌ形凸塊の係合により一体に結合されたことを特徴とする、昇降椅子のベース結合装置としている。
【考案の効果】
【０００６】
本考案は一種のベース結合装置を提供し、それは、油圧シリンダ、スリーブ及び椅子の足を具え、該油圧シリンダの底端に接合柱が設けられ、且つ該接合柱はテーパ状とされ、該スリーブは外端が大きく内端が小さい接合孔を具え、且つ該接合孔は該油圧シリンダの接合柱に対応するように設けられ、該油圧シリンダの接合柱が、テーパ状外観サイズの有する僅かな差異と材料の弾性を利用して緊迫式に該スリーブの接合孔内に嵌合される。該椅子の足は収容空間を具え、且つ該収容空間のサイズが該スリーブよりやや大きく、スリーブが該収容空間内に設置されて空隙を形成し、並びに椅子の足とスリーブがネジ止めされ、これにより本考案の油圧シリンダと椅子の足は簡単に分離でき、油圧シリンダ交換の速度を増せ、且つ椅子の足を傷つけず、昇降椅子の修理コストを減らすことができる。
【考案を実施するための最良の形態】
【０００７】
図３と図４に示されるように、本考案は油圧シリンダ１０、スリーブ２０、及び椅子の足３０を具え、該油圧シリンダ１０の底端に接合柱１０１が設けられ、且つ接合柱１０１はテーパ状に設けられ、該スリーブ２０外端が大きく内端が小さい接合孔２０１を具え、且つ該接合孔２０１は該油圧シリンダ１０の接合柱１０１に対応するように設けられ、該接合孔２０１の最大孔径は接合柱１０１よりやや大きく、接合孔２０１の最小孔径は該接合柱１０１よりやや小さく、油圧シリンダ１０の接合柱１０１が、テーパ状外観サイズの有する僅かな差異と材料の弾性を利用して緊迫式に該スリーブ２０の接合孔２０１内に嵌合され、接合柱１０１の部分口径が接合孔２０１より大きいことを利用して、油圧シリンダ１０とスリーブ２０が緊迫しきに一体とされる。且つ油圧シリンダ１０に第１固定孔１０２が設けられ、該スリーブ２０に第１固定孔１０２に対応する第２固定孔２０２が設けられ、該油圧シリンダ１０の接合柱１０１が緊迫式にスリーブ２０の接合孔２０１内に嵌合される時、ピン４０で第１固定孔１０２と第２固定孔２０２が固定されることで、緊迫嵌合時の安定性が増される。
【０００８】
該椅子の足３０は収容空間３０１を具え、且つ該収容空間３０１の口径は該スリーブ２０よりやや大きく、スリーブ２０が該収容空間３０１内に設置されて空隙を形成し、該スリーブ２０はネジ孔２０３を具え、該ネジ孔２０３はスリーブ２０の収容空間３０１に収容された底面に設けられ、且つ収容空間３０１の底部壁面に該スリーブ２０のネジ孔２０３に対向する穿孔３０３が設けられ、且つ該穿孔３０３が椅子の足を貫通し、ネジ部品５０が該穿孔３０３を通り該ネジ孔２０３にねじ込まれ、且つネジ部品５０は先に弾性係止具７０とワッシャ６０に通され、これによりネジ部品５０によるネジ止め時の安定性が増され、スリーブ２０と椅子の足３０が該ネジ部品５０により結合され一体とされる。また収容空間３０１の底部壁面に凸柱３０４を設置可能であり、スリーブ２０にそれに対応する凹孔２０４が設けられ、凸柱３０４と凹孔２０４がスリーブ２０が収容空間３０１に設置される時に相互に係合し、結合の安定性を増す。
【０００９】
また図５はスリーブ２０と椅子の足３０の別の結合方式を示す。該スリーブ２０の外周に第１ネジ山構造２０５が設けられ、該椅子の足３０の収容空間３０１がそれに対応する第２ネジ山構造３０５を具え、該スリーブ２０と椅子の足３０が第１ネジ山構造２０５と第２ネジ山構造３０５の螺合により結合される。
【００１０】
また図６にはスリーブ２０と椅子の足３０のまた別の結合方式を示す。該スリーブ２０の円周に複数の第１Ｌ形凸塊２０６が環状に配設され、該椅子の足３０の該収容空間３０１にそれに対応する第２Ｌ形凸塊３０６が設けられ、スリーブ２０と椅子の足３０が第１Ｌ形凸塊２０６と第２Ｌ形凸塊３０６の係合により一体に結合される。
【００１１】
以上のように、本考案は油圧シリンダ１０が緊迫式にスリーブ２０に嵌合され、該スリーブ２０が着脱が容易なネジ止め方式で椅子の足３０と一体に結合され、これにより油圧シリンダ１０が損壊して交換が必要である時、本考案は簡単に椅子の足３０とスリーブ２０を分離させてスリーブ２０と連帯して油圧シリンダ１０を交換でき、これにより本考案は油圧シリンダ１０損壊時に交換の速度を高めることができ、且つ椅子の足３０を傷つける恐れがなく、昇降椅子の修理コストを減らすことができる。
【図面の簡単な説明】
【００１２】
【図１】周知の昇降椅子の構造の立体分解図である。
【図２】周知の昇降椅子の局部断面図である。
【図３】本考案の昇降椅子のベース結合装置の立体分解図である。
【図４】本考案の昇降椅子のベース結合装置の局部断面図である。
【図５】本考案のスリーブと椅子の足の別の結合方式の表示図である。
【図６】本考案のスリーブと椅子の足の更に別の結合方式の表示図である。
【符号の説明】
【００１３】
１  シート
２  油圧シリンダ
２ａ  伸縮ロッド
２ｂ  接合柱
２ｃ  調整ハンドル
３  椅子の足
４  クッションシート
５  ネジ
１０  油圧シリンダ
１０１  接合柱
１０２  第１固定孔
２０  スリーブ
２０１  接合孔
２０２  第２固定孔
２０３  ネジ孔
２０４  凹孔
２０５  第１ネジ山構造
２０６  第１Ｌ形凸塊
３０  椅子の足
３０１  収容空間
３０３  穿孔
３０４  凸柱
３０５  第２ネジ山構造
３０６  第２Ｌ形凸塊
５０  ネジ部品
６０  ワッシャ
７０  弾性係止具
【図１】
0003111044.tif 000003
【図２】
0003111044.tif 000004
【図３】
0003111044.tif 000005
【図４】
0003111044.tif 000006
【図５】
0003111044.tif 000007
【図６】
0003111044.tif 000008